(57)【要約】【課題】コンパクトで且つ多様な使用態様のニーズに対して十分に応え得る携帯用照明具を提供することを目的とする。【解決手段】本体基板２と、該本体基板２の両面に同心的に固設された支軸３の軸心Ｌ周りに個々に回動可能に取付けられた２個の照明ユニット４とよりなり、上記照明ユニット４は、前記本体基板２の支軸３に回動可能に取付けられた回動基板５と、該回動基板５の周縁部に、光軸が上記支軸３の遠心方向に向くよう設置された発光ダイオードからなる照明ランプ６と、該回動基板５の板面に設置されたボタン電池からなるランプ用電源電池７と、該回動基板５に着脱自在に装着され外面に上記照明ランプの点灯オン・オフ操作スイッチ８を備えたカバー９とよりなることを特徴とする。【選択図】図２
2008027792.tif 000002
【特許請求の範囲】
【請求項１】
本体基板と、該本体基板の両面に同心的に固設された支軸の軸心周りに個々に回動可能に取付けられた２個の照明ユニットとよりなり、
上記照明ユニットは、前記本体基板の支軸に回動可能に取付けられた回動基板と、該回動基板の周縁部に、光軸が上記支軸の遠心方向に向くよう設置された発光ダイオードからなる照明ランプと、該回動基板の板面に設置されたボタン電池からなるランプ用電源電池と、該回動基板に着脱自在に装着され外面に上記照明ランプの点灯オン・オフ操作スイッチを備えたカバーとよりなることを特徴とする携帯用照明具。
【請求項２】
請求項１に記載の携帯用照明具において、
前記支軸は、本体基板の両面に固着された固定基板に形成され、該固定基板には、上記支軸と同心のギヤが固着され、前記回動基板には該ギヤに噛合する弾性付勢されたラチェット爪が取付けられ、該回動基板の前記支軸周りの回動は、該ラチェット爪の付勢弾力に抗したギヤとの噛合によって間欠的になし得るようにしたことを特徴とする携帯用照明具。
【請求項３】
請求項１又は請求項２に記載の携帯用照明具において、
前記点灯オン・オフ操作スイッチがスライドスイッチからなり、そのスライド方向が照明ランプの光軸方向に沿っていることを特徴とする携帯用照明具。
【発明の詳細な説明】
【技術分野】
【０００１】
本発明は、携帯用照明具に関し、更に詳しくは、各種作業やレジャー等、多様な使用が可能な携帯用照明具に関する。
【背景技術】
【０００２】
従来より、懐中電灯やキーライト等の携帯用照明具が市販され広く用いられている。このような携帯用照明具の内、懐中電灯は豆電球を光源とし、乾電池を光源用電源として組み込んだものであるが、嵩高い為に使用態様も限られていた。また、キーライトはコンパクトで携帯には至便であるが、照度が少なく、照明具としての機能を十分に備えているとは言い難かった。このような観点から、特許文献１では、発光ダイオードを光源とした携帯用照明具が提案されている。
【特許文献１】特開２００２−３６７４０１号公報
【発明の開示】
【発明が解決しようとする課題】
【０００３】
上記特許文献１に開示された携帯用照明具は、従来の豆電球を用いた照明具では、発光効率が悪く、消費電力が多い為に電池による容積が大きくなることに鑑み、光源として発光ダイオードを用い、発光部及び電池収納部の小型化により、全体のコンパクト化を図らんとするものである。しかし、電池収納部に収納される電池として、充電できない乾電池や、アルカリ蓄電池或いはニッケル水素蓄電池等の充電できる電池が開示されており、その為、電池収納部の占める容積は左程小さくなるとは考えられず、コンパクト化にも限度があることが予想されるところであった。
【０００４】
また、特許文献１の携帯用照明具は、電池収納部に対して複数の発光ダイオードを収納する発光部が回動可能に連結され、発光部で任意の方向を照明することができるように構成されている。しかし、複数の発光ダイオード及びその基板は、１個の発光部ケース内に収容されており、従って、発光部が回動可能にはなっているが、各発光ダイオードの照射方向を個々に変えられるものではない為、同時に複数個所を照射したり、照射範囲を任意に変えるようなことは出来ず、多様な使用態様のニーズに対して十分に応え得るものではなかった。
【０００５】
本発明は、上記実情に鑑みなされたものであり、コンパクトで且つ多様な使用態様のニーズに対して十分に応え得る携帯用照明具を提供することを目的としている。
【課題を解決するための手段】
【０００６】
本発明に係る携帯用照明具は、本体基板と、該本体基板の両面に同心的に固設された支軸の軸心周りに個々に回動可能に取付けられた２個の照明ユニットとよりなり、上記照明ユニットは、前記本体基板の支軸に回動可能に取付けられた回動基板と、該回動基板の周縁部に、光軸が上記支軸の遠心方向に向くよう設置された発光ダイオードからなる照明ランプと、該回動基板の板面に設置されたボタン電池からなるランプ用電源電池と、該回動基板に着脱自在に装着され外面に上記照明ランプの点灯オン・オフ操作スイッチを備えたカバーとよりなることを特徴とする。
【０００７】
本発明において、前記支軸は、本体基板の両面に固着された固定基板に形成され、該固定基板には、上記支軸と同心のギヤが固着され、前記回動基板には該ギヤに噛合する弾性付勢されたラチェット爪が取付けられ、該回動基板の前記支軸周りの回動は、該ラチェット爪の付勢弾力に抗したギヤとの噛合によって間欠的になし得るようにすることができる。また、前記点灯オン・オフ操作スイッチがスライドスイッチからなり、そのスライド方向が照明ランプの光軸方向に沿っているようになすこともできる。
【発明の効果】
【０００８】
本発明の携帯用照明具は、照明ランプとして発光ダイオードを用い、また、照明ランプ用電源電池としてボタン電池を用いているから、全体がコンパクトとなる上に、消費電力が少なく、発光効率の良い携帯用照明具を提供することができる。また、２個の照明ユニットは、個々に点灯オン・オフすることができるから、使用場所の条件に応じて一方のみを点灯したり、両方点灯したりすることができる。更に、両照明ユニットは、支軸に対してその軸心周りに個々に回動可能としているから、これらの回動角度を任意に変えることによって、照射野を広くしたり或いは狭くしたりすることも可能であり、加えて、同時に異なる方向を照射することも可能であり、その使用態様は多岐に亘る。
【０００９】
また、本体基板に固着形成されたギヤに対して、回動基板に取付けられたラチェット爪を噛合させるようにし、該回動基板の前記支軸周りの回動を、該ラチェット爪の付勢弾力に抗したギヤとの噛合によって間欠的になし得るようにすれば、照明ユニットを任意の回動位置に安定に保持することができ、目的対象への照射が的確になされる。更に、点灯オン・オフ操作スイッチを、スライド方向が照明ランプの光軸方向に沿うよう形成されたスライドスイッチからなるものとすれば、スイッチ操作が簡単である上に、スイッチの操作方向と、照明ランプの照射方向とが一致するから、照明ユニットがどのような回動位置にあっても、スイッチ操作が違和感なくなされる。更に、メカスイッチであるから、電池の自然放電が極めて少なく、防災非常保管用としての適性も備えている。
【発明を実施するための最良の形態】
【００１０】
以下に本発明の最良の実施の形態について、図面に基づいて説明する。図１は本発明の携帯用照明具の一例を示す斜視図、図２は同携帯用照明具の分解斜視図、図３は同携帯用照明具の内部の平面図、図４（ａ）（ｂ）は図３のＸ部の拡大図でありその動作状態を示す図、図５（ａ）（ｂ）（ｃ）（ｄ）（ｅ）は同携帯用照明具の使用態様を示す概念図である。
【００１１】
図１に示す携帯用照明具１は、本体基板２と、該本体基板２の両側に同心的に固設された支軸３の軸心周りに個々に回動可能に取付けられた２個の照明ユニット４とよりなる。図１及び図２のＬはこの回動中心である支軸３の軸心を示している。照明ユニット４は、前記本体基板２の支軸３に対しその軸心Ｌ周りに回動可能に取付けられた回動基板５と、該回動基板５の周縁部に、光軸が上記支軸３の遠心方向に向くよう設置された発光ダイオード（以下、ＬＥＤと言う）からなる照明ランプ６と、該回動基板５の板面に設置されたボタン電池からなるランプ用電源電池７と、該回動基板５に着脱自在に装着され外面に上記照明ランプ７の点灯オン・オフ操作スイッチ８を備えたカバー９とよりなる。前記支軸３は、本体基板２の両面に固着された固定基板２ａに形成され、該固定基板２ａには、上記支軸３と同心のギヤ１０が固着され、前記回動基板５には該ギヤ１０に噛合する弾性付勢されたラチェット爪１１が取付けられている。該回動基板５の前記支軸３周りの回動は、該ラチェット爪１１の付勢弾力に抗したギヤ１０との噛合によって間欠的になされる。尚、固定基板２ａは、本体基板２自体が兼ねるものであっても良い。
【００１２】
５ａ及び５ｂは、回動基板５を支軸３に回動可能に取付ける為のビスとワッシャである。該回動基板５は、その周縁部に、ＬＥＤ（照明ランプ）６を、その光軸が支軸３の遠心方向に向くよう保持するランプ保持部５ｃと、板面に２個のボタン電池（ランプ用電源電池）７、７を保持する電池保持部５ｄ、５ｄとを備えている。ＬＥＤ６は、白色ＬＥＤ、青色ＬＥＤ、赤色ＬＥＤ等、市販のものを適宜採用することができ、２個の照明ユニット４においてこれらを組合せ、例えば、白色ＬＥＤを通常の照明用とし、赤色ＬＥＤを非常用とすることや、デザイン性・ファッション性等を勘案して適宜組合せて用いることも可能である。このＬＥＤ６は、２本の端子６ａ、６ａを、上記電池保持部５ｄ、５ｄの底面に形成された端子溝５ｅ、５ｅに嵌め入れた状態で上記ランプ保持部５ｄに保持される。２個のボタン電池７、７は、表裏が逆（プラス・マイナスが逆）の関係で電池保持部５ｄ、５ｄに保持され、夫々のプラス極及びマイナス極が、端子溝５ｅ、５ｅに嵌め入れられた端子６ａ、６ａに電気的導通状態で当接するようになされている。また、回動基板５の板面には、スライドスイッチ（ランプ点灯オン・オフスイッチ）８の接触端子８ａをガイドする各２条のガイドリブ５ｆ、５ｆが形成されている。
【００１３】
上記ラチェット爪１１は、圧縮コイルバネ１１ａにより弾性付勢された状態で回動基板５の板面上に取付けられ、固定基板２ａに固着されたギヤ（歯数１２）１０に弾性的に噛合するようになされている。ラチェット爪１１とギヤ１０との噛合動作については後記する。回動基板５には、該回動基板５上に装備される上記各部等を覆うようにカバー９が着脱自在に装着される。この着脱自在な装着は、ビス９ａを回動基板５に形成された雌ネジ筒５ｇに螺合させることによってなされる。９ｂはビス９ａを挿通させる為のビス孔である。このカバー９には、上記スライドスイッチ８が、スライド方向がＬＥＤ６の光軸に沿うよう取付けられている。スライドスイッチ８は、カバー９に開設された開口部９ｃにその下半部がカバー９の内部に臨むよう嵌装され、該スライドスイッチ８の下面には上記接触端子８ａが取付けられている。該接触端子８ａはバネ性のある導電性金属板からなり、スライドスイッチ８をオン操作した時、即ち、ＬＥＤ６側に押出すようにスライド操作した時、上記２個のボタン電池７、７に跨るように位置し、その両端に下向き山形に形成された接点８ｂ、８ｂがボタン電池７、７のプラス極及びマイナス極に電気的同通状態で弾性当接するよう構成されている。従って、この状態でＬＥＤ６に対する電源供給回路が確立され、ＬＥＤ６は点灯する。スライドスイッチ８を逆方向にスライド操作すると、接触端子８ａがボタン電池７、７から外れ、白色ＬＥＤ６は消灯する。
【００１４】
上記ビス孔９ｂは、スライドスイッチ８をオフにした時に、該スライドスイッチ８によって隠蔽される位置に形成されている。また、前記ガイドリブ５ｆ、５ｆには、接触端子８ａの接点８ｂ、８ｂを受容する谷部５ｈ、５ｈが形成され、接点８ｂ、８ｂを谷部５ｈ、５ｈに弾性受容させることによってスライドスイッチ８をオフ位置に維持し、オン操作時にはこの谷部５ｈ、５ｈから接点８ｂ、８ｂを弾性的に脱出させＬＥＤ６側に押出すようになされ、これにより使用者にオン操作時の操作感覚が付与される。
上記構成の照明ユニット４は２個を対とし、本体基板２の両面に（図２では、一方を２点鎖線で示す）、支軸３の軸心Ｌ周りに個々に回動自在に取付けられている。本体基板２の周縁部１箇所に突出部２ｂが設けられ、この突出部２ｂには吊下げ紐或いはストラップ１２（図１参照）を括り付ける為の係止孔２ｃが穿設されている。
【００１５】
照明ユニット４の回動操作に伴うラチェット爪１１とギヤ１０との噛合動作について図３及び図４（ａ）（ｂ）をも参照して説明する。上記のように回動基板５は支軸３の軸心Ｌ周りに回動可能に支持され、且つカバー９がこの回動基板５に着脱可能に装着されているから、使用者はカバー９を把持し各照明ユニット４を支軸３の周りに３６０°、左右いずれの方向にも回動操作することができる。而して、図４（ａ）のように圧縮コイルバネ１１ａによって弾性付勢されたラチェット爪１１が、支軸３と同心的に固定基板２ａに固着されたギヤ１０に噛合しているから、この回動操作の際、図４（ｂ）に示すように、ラチェット爪１１が、圧縮コイルバネ１１ａの弾力に抗してギヤ１０の歯先を乗り越え且つ隣接する歯元への嵌り込みを繰り返してその回動操作が間欠的になされる。ＬＥＤ６が所望の方向に向くと、回動操作が停止され、ラチェット爪１１がいずれかの歯元に嵌り込み、その位置で静止・維持される。このような回動操作は、２個の照明ユニット４、４において個々になされる。
【００１６】
本実施形態では、ギヤ１０の歯数を１２としているから、上記間欠的な回動操作は３０°毎になされることになる。従って、この間欠的な回動操作の回数を計数することによって、２個の照射ユニット４間の相対照射角度を推定することができる。尚、この間欠回動角度はギヤ１０の歯数を変更することにより任意に設定し得ることは言うまでもない。ボタン電池７の交換等の際は、ビス９ａを緩め、カバー９を取外すことによって簡易になし得る。また、回動基板５及びカバー９は合成樹脂の一体成型品からなるようにすれば、低コストで得ることができる上に、合成樹脂特有の弾性により、カバー９の着脱機構の係止部分や、ランプ保持部５ｃ或いは電池保持部５ｄの係止部分の形状設計が簡易になし得る。更に、合成樹脂の成型体とすることにより、着色が自由になされ、需要者の購買意欲をそそるような商品設計も可能となる。
【００１７】
図５（ａ）〜（ｅ）は、上記携帯用照明具１の種々の使用態様の例を示すものであり、それぞれの照明ユニット４を支軸３の軸心周りの任意の位置に回動保持し得ることが示されている。図示の１点鎖線は、各ＬＥＤ６からの照射野を示している。図５（ａ）の態様は、２個の照明ユニット４を同方向に向け、１方若しくは両方のＬＥＤ６を点灯している状態を示している。両方のＬＥＤ６を同方向で同時に点灯する場合は、照度がアップし、目的部位を明るく照らすことができる。図５（ｂ）の態様は、一方の照明ユニット４を横方向にし、他方の照明ユニット４を斜め下方向にして、両ＬＥＤ６を同時に点灯している状態を示す。この例の態様は、例えば、遠方と足元を同時に照らしながら歩行する場合等の使用態様が挙げられる。図５（ｃ）の態様は、両照明ユニット４を前後横方向に向け、両ＬＥＤ６を同時に点灯している状態を示す。この例の態様は、例えば、歩行時や自転車走行時に、前方を照らしながら後方には他車等に対して自身の存在を知らせるような使用態様や、暗所空間内での横方向距離の計測作業等での使用態様も挙げられる。
【００１８】
図５（ｄ）の態様は、両照明ユニット４を互いに小角度（３０°程度）にして両ＬＥＤ６を同時に点灯している状態を示している。この例の態様では、両ＬＥＤ６の照射野が一部オーバーラップするから、照射野が広がり広い範囲を照らすことができる。図５（ｅ）の態様は、両照明ユニット４を上下方向に向け、両ＬＥＤ６を同時に点灯している状態を示す。この例の態様は、例えば、暗所空間内での縦方向距離の計測作業等での使用態様が挙げられる。
【００１９】
図５に示す使用態様は例示であって、使用者の目的用途に応じて他の使用態様が可能であることは言うまでもない。このように、２個の照明ユニット４を個々に回動自在とすることによって、あらゆる職種の夜間作業補助照明、暗所作業補助照明（天井裏、床下、制御盤内配線作業等）、夜間歩行やジョギング等の補助照明、夜間自転車走行補助照明、釣り、キャンプ、ドライブ等のアウトドア用手元照明、学童通学時等の交通事故防止用照明、夜間室内の歩行や物捜し用補助照明、地震・災害時の停電による暗闇行動用非常照明、遠方者との光による合図用補助具、バッグ内の物捜し用照明、インテリアのライトアップ等、多様な使用態様が可能となる。
【００２０】
尚、照明ランプ６のオン・オフ回路には、点灯時に点滅するような制御機構を組み込むことも可能である。携帯用照明具１の外形状は図例のものに限定されず、デザイン性を考慮して各種形状のものが採用され得ることは言うまでもない。
【図面の簡単な説明】
【００２１】
【図１】本発明の携帯用照明具の一例を示す斜視図である。
【図２】同携帯用照明具の分解斜視図である。
【図３】同携帯用照明具の内部の平面図である。
【図４】（ａ）（ｂ）は図３のＸ部の拡大図でありその動作状態を示す図である。
【図５】（ａ）（ｂ）（ｃ）（ｄ）（ｅ）は同携帯用照明具の種々の使用態様を示す概念図である。
【符号の説明】
【００２２】
１      携帯用照明具
２      本体基板
２ａ    固定基板
３      支軸
４      照明ユニット
５      回動基板
６      発光ダイオード（照明ランプ）
７      ボタン電池（ランプ用電源電池）
８      点灯オン・オフ操作スイッチ
９      カバー
１０    ギヤ
１１    ラチェット爪
Ｌ      軸心
【図１】
2008027792.tif 000003
【図２】
2008027792.tif 000004
【図３】
2008027792.tif 000005
【図４】
2008027792.tif 000006
【図５】
2008027792.tif 000007